(57)【要約】【課題】     長時間の入浴や水浴の時に、湯槽や水上で読書しようとしても、書物が濡れるので実際は不可能である。特に頁めくりができないことと、しぶきなども防げないが、これらの不都合をなくし、書物を安定した状態で保持し、ゆったりした気持ちで読書できるようにすることを課題としている。【解決手段】     書物を台板に固定し、改頁した両紙面を押し圧や解放が可能な装置を設け、これらを透明で耐水性の袋類内に入れて密閉して、湯糟や水上に浮かし、袋の外部から頁めくりができるようにして、書物を濡らさずに読書できるようにする。【選択図】      図１
2008086629.tif 000002
【特許請求の範囲】
【請求項１】
書物を固定させる台板に対し書物の背のほぼ中央に位置するとじ部において、開本した状態の書物の上から線状体で接圧して書物を固定し、開頁された左右の頁の各々の紙面をハンドルの操作による押し圧体の個々の上下の作動で、押し圧したり、解除したりする構造にし、これらの装置によって装着された書物を透明で耐水性の袋状体や箱状体の容器に挿入して密閉し、書物を外部から改頁できる手段によって、水上でも読書できるようにしたことを特徴とする読書台。
【請求項２】
台板１に固定された位置決めガイド２に書物１６の下端をあてて、上下の位置を設定し、書物１６が開本状態において書物背１７のほぼ中央に位置するとじ部にワイヤ７を張架することにより書物１６の左右の位置決めと、台板１への接圧で書物１６の位置を固定するようにし、位置決めガイド２の反対側にあたる書物１６の上端側において、台板１に垂直方向に長溝を有するワイヤセッタ３を固設し、ワイヤ７の一端を接合したネジ５をワイヤセッタ３の溝に係合し、ネジ５に蝶ナット６を螺合させ、該蝶ナット６によってワイヤセッタ３を保持点としてワイヤ７を弛緩・緊張させて台板１から書物１６を着脱するようにし、またワイヤ７を通す孔を有し、ワイヤ７に沿って移動して、所定の位置に固定が可能なワイヤガイド４でワイヤ７や書物１６の位置を規制するようにした請求項１に記載の読書台。
【発明の詳細な説明】
【技術分野】
【０００１】
本発明は、浴場などのように水気や湯気の多い場所でも、書物を濡らすことなく読書できるような読書台に関する。
【背景技術】
【０００２】
心身を癒すためにも長時間の入浴が盛んになり、防水されたテレビやラジオが普及して浴場に設置されるようになった。
【０００３】
だが、読書のためのものは、浮き台に書物台を設けた物などがあるが、不完全なものであった。
【発明の開示】
【発明が解決しようとする課題】
【０００４】
浴場や水上で読書するには、書物を濡らさないことが絶対条件であり、濡らさずに改頁、つまり頁めくりできることや、書物を安定した状態で濡らさずに保持することである。
【０００５】
本発明は、以上の条件を満足して解決し、書物を濡らさず、容易に改頁が可能であって、書物を安定して保持できる構造を提供することを目的としている。
【課題を解決するための手段】
【０００６】
上記目的を達成するために、本発明の読書台は、台板の所定の位置に書物をセットし、開本された左右の頁の紙面を押し圧するようにして安定させ、改頁の時は、解除するようにした構造体を透明で耐水性の袋状や箱状の容器に入れて密封し、外部から改頁できるようにした。
【発明の効果】
【０００７】
上記したように本発明の読書台は、次のような効果を発揮する。
【０００８】
つまり、台板にセットした書物は、袋状や箱状の透明な容器に入れられ密封しますので水や湯に浸されても、濡れることがなく、しかも、内部に空気が入りますので、浮力によって全体が浮いた状態で読書できますし、多少の揺動があっても書物は安定している。  
【０００９】
また、袋類の外部からの改頁手段によって書物を濡らさずに読書できる。
【００１０】
アニメなどのように短時間で改頁される書類の読物では、左右の頁の紙面を外部から手で抑えて改頁すればよい。
【発明を実施するための最良の形態】
【００１１】
以下、本発明の実施例の形態を図１から図７に基づいて説明する。
【実施例】
【００１２】
図１は、書物１６を台板１上にセットし、透明な耐水性の袋２０の内部に密封し、フイラ２１で改頁しようとしている状態を示しており、書物１６は、台板１に固設された位置決めガイド２で下端を規制され、位置決めガｌド２とワイヤセッタ３間に張ったワイヤ７によって左右の位置を規制されると同時に書物１６は、台板１に圧接状態になる。
【００１３】
ワイヤ７は、図３・図４に示す書物１６の書物背１７のほぼ中央部のとじ部で開本した位置で張られるが、ワイヤ７はワイヤガイド４の孔に通されているので、左右上下の変位を規制されるのと、ワイヤガイド４で書物１６の上端を押さえるので、書物１６は台板１に安定して配置される。
【００１４】
ワイヤガイド４は、書物１６の上端を規制するので、書物１６の大きさに応じて移動し、図３に示すように、台板１に設けたガイド溝１８にセットネジ８を通し、蝶ナット１５でセットします。
【００１５】
図３は、ワイヤ７の取り付け状態を示す断面図であるが、ワイヤ７の一端は位置決めガイド２に固定されていて、他端は蝶ナット６に螺合されたネジ５に接合され、台板１に固設されたワイヤセッタ３を保持点として、蝶ナット６によって弛緩・緊張を調整されるが、書物１６を台板１からの取り外しや取り付けの場合は、蝶ナット６を緩めてネジ５をワイヤセッタ３の溝から外して緩めます。
【００１６】
図２は、台板１に書物１６を開頁してセットした状態を示した斜視図であり、図４は、開頁して左右の紙面を左セッタ９と右セッタ１０で押し圧した状態の断面図であって、左セッタ９は、押ハンドル１１のヒンジ１３を支点にしてスプリング２５の力で書物１６の紙面を押し圧し、押ハンドル１１を押すと解除されて紙面から離れるので、その隙間から図１に示すフイラ２１によって紙面を引き出して頁めくり動作にはいる。
【００１７】
右セッタ１０は、セッタホルダ３０によって保持されていて、ヒンジ３１を支点にスプリング２４で紙面を押し圧しているが、引ハンドル１２をヒンジ１４を支点に引き上げると、接続されているセッタワイヤ３３がガイドロ−ル３２を介してセッタホルダ３０を牽引し、ヒンジ３１を支点にして右セッタ１０が浮き上がり、書物１６の紙面の押し圧を解除します。
【００１８】
図１に示すように、台板１に設置した位置決めガイド２・ワイヤ７・ワイヤガイド４・ワイヤセッタ３などによって所定位置に配置しセットされた書物１６と、該書物１６の紙面を押し圧している右セッタ１０・左セッタ９などを配備した一連の装備を透明で耐水性の袋２０内に挿入し、密封口２６を閉じて、湯槽やプ−ルなどに浮かべて、外部から頁めくりをしながら読書します。
【００１９】
改頁するときは、先ず袋２０の外部から押ハンドル１１を押し、左セッタ９を紙面から離し、次に袋２０の内部に突き出ているフイラハンドル１９の先端部に取り付けたフイラ２１を袋２０の外部のハンドル握り２７で操作して、左セッタ９側の紙面一枚を引き出してから、再度左セッタ９で紙面を押すと同時に、右セッタ１０を紙面から浮かしてから、その隙間へ引き出した紙面をフイラ２１で押し入れ、右セッタ１０で再度押さえる。
【００２０】
図５は、フイラ２１の関係部分の構造を示す断面図であり、図６は、フイラ２１の側面の断面図であって、フイラ２１は袋２０の外部から内部に突き出したフイラハンドル１９の先端に付設され、反対側に螺合されたハンドル握り２７によって前後左右動や回動をするが、袋２０の内部に突設したフレキチュ−ブ２９が遊動可能な範囲内である。
【００２１】
フレキチュ−ブ２９は、袋２０に接合され、先端部にフイラハンドル１９を緊合するようにしたハンドルガイド２８が結合されていて、捻れや圧縮や伸長などに柔軟に作動するようになっている。
【００２２】
フイラ２１は、一方の面が摩擦係数の大きい材料の粘着片２２を貼着し、反対側の面に摩擦係数の小さい材料の摺動片２３を固設し、改頁に際して紙面をめくる時には、粘着片２２側を紙面に密着させて引き出し、摺動片２３側で紙面を滑らせながら右セッタ１０の下に押し込みます。
【００２３】
図７は、改頁の手段の他の方法を示しており、フイラ２１の替わりに袋２０の内側に防水性の手袋を接合して、手袋を介して手で頁めくりを行うものである。
【図面の簡単な説明】
【００２４】
【図１】本発明の読書台の全体を示す斜視図である。
【図２】書物を台板に配置した状態を示す斜視図である。
【図３】書物を固定するワイヤの構造を示す断面図である。
【図４】台板に配置した書物の左右の紙面を押し圧する構造を示した断面図である。
【図５】フイラ関連部分の構造を示す断面図である。
【図６】フイラの構造を示す側面の断面図である。
【図７】手袋を利用した頁めくりの方法と構造を示す斜視図である。
【符号の説明】
【００２５】
１    台板
２    位置決めガイド
３    ワイヤセッタ
４    ワイヤガイド
５    ネジ
６    蝶ナット
７    ワイヤ
８    セットネジ
９    左セッタ
１０    右セッタ
１１    押ハンドル
１２    引ハンドル
１３    ヒンジ
１４    ヒンジ
１５    蝶ナット
１６    書物
１７    書物背
１８    ガイド溝
１９    フイラハンドル
２０    袋
２１    フイラ
２２    粘着片
２３    摺動片
２４    スプリング
２５    スプリング
２６    密封口
２７    ハンドル握り
２８    ハンドルガイド
２９    フレキチュ−ブ
３０    セッタホルダ
３１    ヒンジ
３２    ガイドロ−ル
３３    セッタワイヤ
【図１】
2008086629.tif 000003
【図２】
2008086629.tif 000004
【図３】
2008086629.tif 000005
【図４】
2008086629.tif 000006
【図５】
2008086629.tif 000007
【図６】
2008086629.tif 000008
【図７】
2008086629.tif 000009